(57)【要約】【課題】  収納部品が一目で分かり、アタッチメントの紛失を防止することができる電気掃除機を提供する。【解決手段】  吸引風を発する電動送風機（図示せず）と、アタッチメント４を収納する格納室５と、前記格納室５を覆いかつ開閉可能に設けられた格納蓋６とを備え、前記格納蓋６を可視性を有する材料で形成したもので、これによって、アタッチメント４及び格納室５が透明または半透明な格納蓋６を通して透けて見えるので、収納部品が一目で分かり、アタッチメント４の紛失を防止することができる。【選択図】  図１
2005058642.tif 000002
【特許請求の範囲】
【請求項１】
吸引風を発する電動送風機と、アタッチメントを収納する格納室と、前記格納室を覆いかつ開閉可能に設けられた格納蓋とを備え、前記格納蓋を可視性を有する材料で形成した電気掃除機。
【請求項２】
格納蓋の表面に凹凸部を形成した請求項１記載の電気掃除機。
【請求項３】
格納蓋は回動自在に構成され、凹凸部の凸部は、前記格納蓋の回動軸に対し略直角方向に直線状に形成した請求項２記載の電気掃除機。
【請求項４】
凸部を略均等の間隔で形成した請求項３記載の電気掃除機。
【請求項５】
凹凸は、格納蓋の格納室側の表面に形成した請求項２〜４のいずれか１項に記載の電気掃除機。
【請求項６】
格納蓋にシボ加工等を施すことにより、格納蓋の透明度を低くした請求項１〜５のいずれか１項に記載の電気掃除機。
【請求項７】
格納蓋の開閉時に操作する操作部の厚みを、他の格納蓋の厚みより厚くした請求項１〜６のいずれか１項に記載の電気掃除機。
【請求項８】
格納蓋は回動自在に構成され、前記格納蓋の回動軸に対し略直角方向の前記格納蓋の両端に、格納室方向に突出するリブ体を設けた請求項１〜７のいずれか１項に記載の電気掃除機。
【請求項９】
リブ体の先端を傾斜面で形成した請求項８に記載の電気掃除機。
【請求項１０】
格納蓋の格納室に対する位置を規制する位置規制手段を、リブ体と一体に設けた請求項８または９記載の電気掃除機。
【請求項１１】
格納蓋の回動軸近傍における天面肉厚を部分的に厚くした請求項１〜１０のいずれか１項に記載の電気掃除機。
【請求項１２】
リブ体の側面の少なくとも一方に、外方に突出する凸部を設けた請求項８〜１１のいずれか１項に記載の電気掃除機。
【請求項１３】
格納蓋を閉じた状態において、格納蓋のガタツキを規制する規制体を格納室側壁に設けた請求項１〜１２のいずれか１項に記載の電気掃除機。
【発明の詳細な説明】
【技術分野】
【０００１】
本発明は一般家庭で使用される電気掃除機に関するものである。
【背景技術】
【０００２】
従来の電気掃除機を、図１１を用いて説明する。
【０００３】
掃除機本体５１は電動送風機（図示せず）を内蔵する電動送風機室（図示せず）とその前方に配設した集塵室（図示せず）で構成されている。掃除機本体５１には隙間ノズルや棚ノズル等のアタッチメント５２を収納する格納室５３が形成されており、前記格納室５３を覆う格納蓋５４が開閉自在に設けられている。また、格納蓋５４を開閉させる為の操作部５５が掃除機本体５１の格納室５３前方に設けられている。
【０００４】
以上のように構成された電気掃除機の動作を説明する。
【０００５】
使用者が、隙間ノズルや棚ノズル等のアタッチメント５２を使用する場合、掃除機本体５１に設けられた操作部５５に触れることにより格納蓋５４を開けて、アタッチメント５２を取り出して使用していた(例えば、特許文献１参照)。
【特許文献１】特開平７−３２２９７５号公報
【発明の開示】
【発明が解決しようとする課題】
【０００６】
しかしながら、前記従来の構成では、隙間ノズルや棚ノズル等のアタッチメントを使用する時、格納蓋を開けて取り出した後、格納蓋を閉じてアタッチメントを使用し、使い終わったら格納蓋を開けてアタッチメントを収納するが、使い終わった後アタッチメントを収納し忘れた場合、格納蓋が不透明な材料で形成されている為、アタッチメントが格納室にあるかどうかは、格納蓋を開けて見ないと分からないので、アタッチメントを紛失してしまうという課題を有していた。
【０００７】
本発明は上記課題を解決するもので、収納部品が一目で分かり、アタッチメントの紛失を防止することができる電気掃除機を提供することを目的とするものである。
【課題を解決するための手段】
【０００８】
前記従来の課題を解決するために本発明の電気掃除機は、吸引風を発する電動送風機と、アタッチメントを収納する格納室と、前記格納室を覆いかつ開閉可能に設けられた格納蓋とを備え、前記格納蓋を可視性を有する材料で形成したもので、これによって、アタッチメント及び格納室が透明または半透明な格納蓋を通して透けて見えるので、収納部品が一目で分かり、アタッチメントの紛失を防止することができる。
【発明の効果】
【０００９】
本発明の電気掃除機は、収納部品が一目で分かり、アタッチメントの紛失を防止することができる。
【発明を実施するための最良の形態】
【００１０】
第１の発明は、吸引風を発する電動送風機と、アタッチメントを収納する格納室と、前記格納室を覆いかつ開閉可能に設けられた格納蓋とを備え、前記格納蓋を可視性を有する材料で形成したもので、これによって、アタッチメント及び格納室が透明または半透明な格納蓋を通して透けて見えるので、収納部品が一目で分かり、アタッチメントの紛失を防止することができる。
【００１１】
第２の発明は、格納蓋の表面に凹凸部を形成したもので、凸部が形成するライン模様が色の濃淡により表わされ、格納蓋の肉厚に変化ができるので、外観性向上と共に格納蓋の強度を向上させることができる。
【００１２】
第３及び第４の発明は、格納蓋は回動自在に構成され、凹凸部の凸部は、前記格納蓋の回動軸に対し略直角方向に直線状に形成し、前記凸部を略均等の間隔で形成したもので、掃除機本体がスリムに見えるので、小型化した掃除機本体をよりコンパクトに見せることができる。
【００１３】
第５の発明は、凹凸は、格納蓋の格納室側の表面に形成したもので、外観表面に凹凸部が形成されないので、外観表面に塵埃が堆積するのを防止することができる。
【００１４】
第６の発明は、格納蓋にシボ加工等を施すことにより、格納蓋の透明度を低くしたもので、細かい傷や埃が付着しても目立ちにくくなり、外観性が損なうのを防止することができる。
【００１５】
第７の発明は、格納蓋の開閉時に操作する操作部の厚みを、他の格納蓋の厚みより厚くしたもので、指が触れる操作部を滑らかな曲面で形成できるので、格納蓋を開ける時に指が触れても触り心地が良く、肉厚の為、強度を向上させることができる。
【００１６】
第８の発明は、格納蓋は回動自在に構成され、前記格納蓋の回動軸に対し略直角方向の前記格納蓋の両端に、格納室方向に突出するリブ体を設けたもので、格納蓋を閉じる時、格納室側壁の内側に沿って後部からリブ体が入っていくので、格納蓋が近接する部品に乗り上げることなくスムーズに装着することができる。
【００１７】
第９の発明は、リブ体の先端を傾斜面で形成したもので、格納蓋が何らかの要因で変形した時でも傾斜面が誘いとなり、格納蓋が近接する部品に乗り上げることなくスムーズに装着することができる。
【００１８】
第１０の発明は、格納蓋の格納室に対する位置を規制する位置規制手段を、リブ体と一体に設けたもので、透明な格納蓋に透けて、位置規制手段が見える為に外観性が損なうのを防止することができる。
【００１９】
第１１の発明は、格納蓋の回動軸近傍における天面肉厚を部分的に厚くしたもので、格納蓋を回動させる為の軸及び軸穴を形成するリブ等が外観表面から見えにくくなり、外観性が損なうのを防止することができると共に、部分的に肉厚を厚くしているので、成形性を向上させることができる。
【００２０】
第１２の発明は、リブ体の側面の少なくとも一方に、外方に突出する凸部を設けたもので、近接する部品に干渉しても格納蓋は凸部のみで当接するので、リブ体全体への傷付きを防止すると共に、凸部のみに傷がつくので傷付きによる外観性の悪化を防止することができる。
【００２１】
第１３の発明は、格納蓋を閉じた状態において、格納蓋のガタツキを規制する規制体を格納室側壁に設けたもので、格納蓋を閉じている時のガタツキが低減され、運転時の異常音や格納蓋等の磨耗を防止することができる。
【００２２】
以下、本発明の実施の形態について、図面を参照しながら説明する。なお、この実施の形態によりこの発明が限定されるものではない。
【００２３】
（実施の形態１）
本発明の第１の実施の形態について、図１〜図１０を用いて説明する。
【００２４】
掃除機本体１は吸引風を発する電動送風機（図示せず）と、前記電動送風機が吸引した塵埃を捕集する集塵部２と、前記集塵部２を覆い回動自在な集塵部蓋３と、集塵部蓋３の上面にアタッチメント４を収納する格納室５と、前記格納室５を覆いかつ開閉自在に設けられた格納蓋６とを備え、その後方に使用者が持ち運び時に握る把手部７を設けている。また、格納蓋６及び把手部７は、可視性を有する透明または半透明の材料によって形成されている。
【００２５】
格納蓋６に設けた前記格納蓋６の回動支点である回動軸穴部８は、集塵部蓋３の中央上面に設けた回動軸部９に回動自在に軸支されている。格納蓋６を閉じた状態において、格納蓋６に設けた係止部１０は、集塵部蓋の前方に設けた被係止部１１と係合し閉じた状態を保持している。格納蓋６の格納室５側の面は、格納蓋６の回動支点である回動軸穴部８の中心同士を結ぶ回動軸に対して略直角方向（掃除機本体１の前後方向）に向けて表面を凹凸にすることにより、色に濃淡をつけてライン模様を形成し、かつ上方から見てほぼ均等の間隔で略直線状に形成している。
【００２６】
また、回動軸穴部８近傍はライン模様を付けずにその天面肉厚を厚くして形成すると共に、回動軸穴部８近傍を除く範囲にシボ加工（図３の網掛け部）を施すことにより、透明度を若干低下させている。
【００２７】
格納蓋６を開ける時に使用者が操作する操作部１２を格納蓋６前方に設け、操作部１２の肉厚を厚くして滑らかな曲面を形成している。
【００２８】
さらに、格納蓋６の回動支点である回動軸穴部８の中心同士を結ぶ回動軸に対して略直角方向（掃除機本体１の左右方向）の端部には、前方から後方まで延び、格納室５側に突出するリブ体１３を設け、その先端部の外側の面に傾斜面１４を形成している。リブ体１３の途中には、格納蓋６の前後方向における位置を規制する位置規制手段として位置規制体１５を一体にして形成しており、集塵部蓋３には、位置規制体１５と当接するように位置規制溝１６を設けている。
【００２９】
また、リブ体１３の外側の面には、凸部１７を複数箇所設け、位置規制溝１６の内側の面には、格納蓋６を閉じた状態で、格納蓋６のガタツキを規制する規制体１８を複数箇所設けている。
【００３０】
以上のように構成された電気掃除機について、以下その動作、作用を説明する。
【００３１】
まず、隙間ノズルや棚ノズル等のアタッチメント４を使用する時、格納蓋６を開けて取り出した後、格納蓋６を閉じてアタッチメント４を使用し、使い終わったら格納蓋６を開けてアタッチメント４を収納するが、使い終わった後アタッチメント４を収納し忘れた場合でも、格納蓋６を透明または半透明の材料で形成しており、アタッチメント４及び格納室５が透明な格納蓋６を通して透けて見えるので、収納部品が一目で分かり、アタッチメント４の紛失を防止することができる。
【００３２】
格納蓋６に形成したライン模様が色の濃淡により表わされ、格納蓋６の肉厚に変化ができるので、外観性向上と共に格納蓋の強度を向上させることができると共に、前後方向にほぼ均等な間隔で形成されている為、掃除機本体１がスリムに見え、小型化した掃除機本体１をよりコンパクトに見せることができる。
【００３３】
格納蓋６の格納室５側へライン模様を形成し、シボ加工を施し透明度を若干低下させている為、外観表面に凹凸部が形成されず、細かい傷や埃が付着しても目立ちにくくなるので、外観表面への塵埃の堆積や外観性が損なうのを防止することができる。
【００３４】
操作部１２の肉厚を厚くして滑らかな曲面を形成している為、指が触れる操作部１２を滑らかな曲面で形成できるので、格納蓋６を開ける時に指が触れても触り心地が良く、肉厚の為、強度を向上させることができる。
【００３５】
回動軸穴部８近傍は、ライン模様を付けずにその天面肉厚を厚くして形成している為、格納蓋６を回動させる為の軸及び軸穴を形成するリブ等が外観表面から見えにくくなり、外観性が損なうのを防止することができると共に、部分的に肉厚を厚くしているので、成形性を向上させることができる。
【００３６】
また、格納蓋６を閉じる時には、格納室５側壁の内側に沿って後部からリブ体１３が入っていくと共に、格納蓋６が何らかの要因で変形した時でも傾斜面が誘いとなり、格納蓋６が近接する部品に乗り上げることなくスムーズに装着することができる。
【００３７】
位置規制手段として位置規制体１５を一体にして形成している為、透明な格納蓋６に透けて、位置規制手段が見えることにより外観性が損なうのを防止することができる。
【００３８】
さらに、リブ体１３の外側の面には、凸部１７を複数箇所設けている為、近接する部品に干渉しても、格納蓋６は凸部１７のみで当接するので、リブ体１３全体への傷付きを防止すると共に、凸部１７のみに傷がつくので傷付きによる外観性の悪化を防止することができる。
【００３９】
集塵部蓋３の位置規制溝に規制体１８を複数箇所設けている為、格納蓋６を閉じている時のガタツキが低減され、運転時の異常音や格納蓋６等の磨耗を防止することができる。
【００４０】
なお、本発明の形態では、格納蓋６を透明または半透明な一部品で形成しているが、部分的に透明にしたり、複数の部品により格納蓋６を構成しても、同じ効果が得られるのは言うまでもない。
【００４１】
また、格納室５を集塵部蓋３に設けているが、掃除機本体１外郭の目に付く場所であれば、格納室５をどこに設けても同じ効果が得られるのは言うまでもない。
【００４２】
さらに、シボ加工を施すことにより透明度を若干低下させたが、シボ加工以外の方法で透明度を低下させても同じ効果が得られるのは言うまでもない。
【産業上の利用可能性】
【００４３】
以上のように、本発明にかかる電気掃除機は、収納部品が一目で分かり、アタッチメントの紛失を防止することが可能となるので、掃除機本体にアタッチメントを収納することができる電気掃除機などに極めて有用なものである。
【図面の簡単な説明】
【００４４】
【図１】本発明の実施の形態１における電気掃除機の全体斜視図
【図２】同電気掃除機の格納蓋が開いた状態を示す全体斜視図
【図３】同電気掃除機の格納蓋の全体斜視図
【図４】同電気掃除機の格納蓋の格納室側から見た平面図
【図５】図４のＡ−Ａ断面図
【図６】同電気掃除機の格納蓋前方の要部中央断面図
【図７】同電気掃除機の格納蓋及び集塵蓋の要部断面図
【図８】同電気掃除機の格納蓋の正面図
【図９】同電気掃除機の格納蓋後方の要部中央断面図
【図１０】同電気掃除機の格納蓋及び集塵蓋の要部断面図
【図１１】従来の電気掃除機の格納蓋が開いた状態を示す全体斜視図
【符号の説明】
【００４５】
１  掃除機本体
２  集塵部
３  集塵部蓋
４  アタッチメント
５  格納室
６  格納蓋
１２  操作部
１３  リブ体
１４  傾斜面
１５  位置規制体
１７  凸部
１８  規制体
【図１】
2005058642.tif 000003
【図２】
2005058642.tif 000004
【図３】
2005058642.tif 000005
【図４】
2005058642.tif 000006
【図５】
2005058642.tif 000007
【図６】
2005058642.tif 000008
【図７】
2005058642.tif 000009
【図８】
2005058642.tif 000010
【図９】
2005058642.tif 000011
【図１０】
2005058642.tif 000012
【図１１】
2005058642.tif 000013